(57)【要約】      （修正有）【課題】撮影した画像をネットワークにアップロードする操作手順を簡単にできるようにした画像選択制御装置、カメラ、およびプログラムを提供する。【解決手段】ネットワークを介して接続される画像関連サイトに、画像記憶部２２に記憶された画像を投稿する画像投稿を支援するための画像選択制御装置であって、画像関連サイトと当該画像関連サイトへ投稿する投稿画像との組み合わせを選択する表示する画面表示制御部１１ｄと、選択画面への指示を検出する入力検出部１１ｅと、検出された選択画面への指示に従って、画像関連サイトが募集している画像の種類と投稿画像の内容を比較し、画像関連サイトと投稿画像との適切な組み合わせを選択する選択部１１ｂを有する。【選択図】図１
2011070466.tif 000002
【特許請求の範囲】
【請求項１】
ネットワークを介して接続される画像関連サイトに、記憶部に記憶された画像を投稿する画像投稿を支援するための画像選択制御装置において、
上記画像関連サイトと当該画像関連サイトへ投稿する投稿画像との組み合わせを選択する選択画面を表示する選択画面表示制御部と、
上記選択画面への指示を検出する入力検出部と、
上記検出された上記選択画面への指示に従って、上記画像関連サイトが募集している画像の種類と上記投稿画像の内容を比較し、上記画像関連サイトと上記投稿画像との適切な組み合わせを選択する選択部と、
を有することを特徴とする画像選択制御装置。
【請求項２】
上記選択部は、特定の上記画像関連サイトに対応する画像を、上記記憶部から選択することを特徴とする請求項１に記載の画像選択制御装置。
【請求項３】
上記選択部は、特定の上記画像関連サイトに対応する画像を、上記記憶部の中で操作者から指示された画像の中から選択することを特徴とする請求項２に記載の画像選択制御装置。
【請求項４】
上記選択部は、上記画像における被写体の内容として被写体の種類を判断する被写体判断部を備え、
上記選択部は、上記被写体判断部による被写体の種類と上記画像関連サイトが募集している画像の種類を比較し、上記画像関連サイトに適切な画像を選択することを特徴とする請求項２または請求項３に記載の画像選択制御装置。
【請求項５】
上記選択部は、上記画像関連サイトとして利用可能な複数の画像関連サイトの中から、操作者から指示された画像に適する画像関連サイトを選択することを特徴とする請求項１に記載の画像選択制御装置。
【請求項６】
上記選択部は、上記画像における被写体の内容として被写体の種類を判断する被写体判断部を備え、
上記選択部は、上記指示された画像についての上記被写体判断部による被写体の種類と上記画像関連サイトが募集している画像の種類とを比較し、上記指示された画像に適した画像投稿サイトを選択することを特徴とする請求項５に記載の画像選択制御装置。
【請求項７】
上記選択部は、上記画像が動画の場合には、上記画像関連サイトの中から動画用の画像関連サイトを選択することを特徴とする請求項１に記載の画像選択制御装置。
【請求項８】
上記選択画面表示制御部は、上記指示された画像と利用可能な上記画像関連サイトを同一の画面に表示し、更に利用可能な上記画像関連サイトの中で指示された画像に適した画像関連サイトを区別して表示することを特徴とする請求項１に記載の画像選択制御装置。
【請求項９】
上記請求項１乃至請求項８のいずれか１項に記載の画像選択制御装置を備えることを特徴とするカメラ。
【請求項１０】
ネットワークを介して接続される画像関連サイトの中で選択した画像関連サイトに撮影された画像を投稿することのできるカメラにおいて、
上記撮影された画像と上記画像関連サイトのログイン情報、ＵＲＬ情報または投稿フォームの少なくともいずれか１つを含むサイト情報が記憶される情報記憶部と、
上記撮影された画像の中から投稿画像を指示するための操作部と、
上記投稿画像の被写体の種類を判断し、利用可能な画像関連サイトからの中から上記投稿画像に相応しい画像投稿サイトを選択する選択部と、
上記投稿画像とともに上記選択された画像関連サイトに関する上記サイト情報を送信する通信制御部と、
を備えることを特徴とするカメラ。
【請求項１１】
ブログに添付される画像を選択するための画像選択制御装置において、
上記ブログと当該添付する画像との組み合わせを選択する選択画面を表示する選択画面表示制御部と、
上記選択画面への指示を検出する入力検出部と、
上記検出された上記選択画面への指示に従い、上記ブログのテーマの種類と上記画像の被写体の種類を比較し、上記ブログに適した画像を選択する選択部と、
を備えることを特徴とする画像選択制御装置。
【請求項１２】
ネットワークを介して接続される画像関連サイトに、記憶部に記憶された画像を投稿する画像投稿を支援するためにコンピュータを実行させるためのプログラムにおいて、
上記画像関連サイトと当該画像関連サイトへ投稿する投稿画像との組み合わせを選択する選択画面を表示させるステップと、
上記選択画面への指示に従って、上記画像関連サイトが募集している画像の種類と上記投稿画像の内容を比較し、上記画像関連サイトと上記投稿画像との適切な組み合わせを選択するステップを、
コンピュータに実行させるプログラム。
【請求項１３】
ブログに添付される画像を選択するためにコンピュータを実行させるためのプログラムにおいて、
上記ブログと当該添付する画像との組み合わせを選択する選択画面を表示するステップと、
上記選択画面への指示を検出し、この検出された上記選択画面への指示に従い、上記ブログのテーマの種類と上記画像の被写体の種類を比較し、上記ブログに適した画像を選択するステップを、
コンピュータに実行させるプログラム。
【発明の詳細な説明】
【技術分野】
【０００１】
本発明は、画像選択制御装置、カメラ及びプログラムに関し、詳しくは、カメラによる撮影画像の中から画像関連サイトに投稿する画像を、またはブログに添付するための画像を選択するのに適した画像選択制御装置、カメラ及びプログラムに関する。
【背景技術】
【０００２】
近年、ネットワーク環境が充実し、データ転送速度も高速化が実現されてきている。このため、デジタルカメラ等の撮影装置で撮影された画像も、単に個人で楽しむだけではなく、いわゆるブログ（Ｗｅｂ  Ｌｏｇ）への掲載あるいは画像コンテストや画像投稿サイトに利用されることが多くなってきている。また、撮影テクニックを教授する階層別のセミナーや出来栄えを競うコンクールも活発に開催されている。
【０００３】
撮影画像を投稿サイトに投稿し、また写真コンテストに応募するには、撮影装置から一旦、自己のパーソナルコンピュータ（以下、ＰＣという）に画像を転送し、そのＰＣから希望する画像関連サイト（投稿サイト、コンクール等）に接続し、ＰＣでその画像サイトの手順に従って所定の手続を行わなければならない。また、ブログに画像を添付する場合も、一旦、撮影装置からＰＣに画像を転送し、ブログのソフトを起動し、所定のブログに希望の画像を添付し、外部の管理サーバに送信する等、ＰＣで種々の操作が必要である。
【０００４】
また、画像も利用形態に応じて、画像サイズの変換等の加工が必要となる場合がある。例えば、フォトコンテストへの応募であれば、撮影画像を大きなデータサイズのまま送信するが、通常のブログであれば、画像サイズをＶＧＡ（６４０×４８０ピクセルの画面解像度）程度にリサイズする必要がある。このように、ネットワークを通じたウエブ（ＷＥＢ）上で撮影画像を利用可能にするためには、いろいろな手順や制約が伴う。
【０００５】
投稿サイト等に画像の投稿をより手軽に行うための提案が種々行われており、例えば、特許文献１には、投稿に必要な各種情報をシートに記載しておき、必要事項が記載されたシートを特定の読み取り装置で読み込ませて外部に送信することにより、面倒なＰＣの操作を行わずにブログの送信を行うことのできるシステムが提案されている。また、特許文献２には、ＰＣなしでも気軽にブログを掲示板にアップロードできるようにするために、ブログの作成およびサーバへの送信手順等の情報を予め記憶しておき、利用することのできる携帯端末が提案されている。
【先行技術文献】
【特許文献】
【０００６】
【特許文献１】特開２００８−２３６７０２号公報
【特許文献２】特開２００８−２４２５６７号公報
【発明の概要】
【発明が解決しようとする課題】
【０００７】
投稿サイトをはじめとする画像関連サイトの数は、年々増えており、複数のサイトを利用しようとしても、各サイトは独立しているので、まとめ管理することは容易ではない。また、投稿サイトや写真コンクールでは、被写体を特定のテーマ、例えば、動物とか祭り、あるいは山等に、限定されることも多い。膨大な画像数を格納できる最近のカメラ等の撮影装置やＰＣでは、そのような画像の中から応募画像を探すのは手間がかかってしまう。同様に、ブログの場合でも添付する画像を探すに手間がかかってしまい、管理が大変である。
【０００８】
このように、利用可能な画像サイト（投稿サイト、画像コンクール）が増え、かつ取り扱う画像数が増加したことで、ネットワークにアップロードする手続が色々煩雑になっている。また、画像主体のブログサイトが複数ある場合にも同様な課題がある。
【０００９】
本発明は、このような事情を鑑みてなされたものであり、撮影した画像をネットワークにアップロードする操作手順を簡単にできるようにした画像選択制御装置、カメラ、およびプログラムを提供することを目的とする。
【課題を解決するための手段】
【００１０】
上記目的を達成するため第１の発明に係わる画像選択制御装置は、ネットワークを介して接続される画像関連サイトに、記憶部に記憶された画像を投稿する画像投稿を支援するための画像選択制御装置において、上記画像関連サイトと当該画像関連サイトへ投稿する投稿画像との組み合わせを選択する選択画面を表示する選択画面表示制御部と、上記選択画面への指示を検出する入力検出部と、上記検出された上記選択画面への指示に従って、上記画像関連サイトが募集している画像の種類と上記投稿画像の内容を比較し、上記画像関連サイトと上記投稿画像との適切な組み合わせを選択する選択部と、を有する。
【００１１】
第２の発明に係わる画像選択制御装置は、上記第１の発明において、上記選択部は、特定の上記画像関連サイトに対応する画像を、上記記憶部から選択する。
第３の発明に係わる画像選択制御装置は、上記第１の発明において、上記選択部は、特定の上記画像関連サイトに対応する画像を、上記記憶部の中で操作者から指示された画像の中から選択する。
【００１２】
第４の発明に係わる画像選択制御装置は、上記第２または上記第３の発明において、上記選択部は、上記画像における被写体の内容として被写体の種類を判断する被写体判断部を備え、上記選択部は、上記被写体判断部による被写体の種類と上記画像関連サイトが募集している画像の種類を比較し、上記画像関連サイトに適切な画像を選択する。
【００１３】
第５の発明に係わる画像選択制御装置は、上記第１の発明において、上記選択部は、上記画像関連サイトとして利用可能な複数の画像関連サイトの中から、操作者から指示された画像に適する画像関連サイトを選択する。
第６の発明に係わる画像選択制御装置は、上記第５の発明において、上記選択部は、上記画像における被写体の内容として被写体の種類を判断する被写体判断部を備え、上記選択部は、上記指示された画像についての上記被写体判断部による被写体の種類と上記画像関連サイトが募集している画像の種類とを比較し、上記指示された画像に適した画像投稿サイトを選択する。
【００１４】
第７の発明に係わる画像選択制御装置は、上記第１の発明において、上記選択部は、上記画像が動画の場合には、上記画像関連サイトの中から動画用の画像関連サイトを選択する。
第８の発明に係わる画像選択制御装置は、上記第１の発明において、上記選択画面表示制御部は、上記指示された画像と利用可能な上記画像関連サイトを同一の画面に表示し、更に利用可能な上記画像関連サイトの中で指示された画像に適した画像関連サイトを区別して表示する。
【００１５】
第９の発明に係わるカメラは、上記第１ないし上記第８の発明のいずれかの画像選択制御装置を備える。
第１０の発明に係わるカメラは、ネットワークを介して接続される画像関連サイトの中で選択した画像関連サイトに撮影された画像を投稿することのできるカメラにおいて、上記撮影された画像と上記画像関連サイトのログイン情報、ＵＲＬ情報または投稿フォームの少なくともいずれか１つを含むサイト情報が記憶される情報記憶部と、上記撮影された画像の中から投稿画像を指示するための操作部と、上記投稿画像の被写体の種類を判断し、利用可能な画像関連サイトからの中から上記投稿画像に相応しい画像投稿サイトを選択する選択部と、上記投稿画像とともに上記選択された画像関連サイトに関する上記サイト情報を送信する通信制御部と、を備える。
【００１６】
第１１の発明に係わる画像選択制御装置は、ブログに添付される画像を選択するための画像選択制御装置において、上記ブログと当該添付する画像との組み合わせを選択する選択画面を表示する選択画面表示制御部と、上記選択画面への指示を検出する入力検出部と、上記検出された上記選択画面への指示に従い、上記ブログのテーマの種類と上記画像の被写体の種類を比較し、上記ブログに適した画像を選択する選択部と、を備える。
【００１７】
第１２の発明に係わるプログラムは、ネットワークを介して接続される画像関連サイトに、記憶部に記憶された画像を投稿する画像投稿を支援するためにコンピュータを実行させるためのプログラムであって、上記画像関連サイトと当該画像関連サイトへ投稿する投稿画像との組み合わせを選択する選択画面を表示させるステップと、上記選択画面への指示に従って、上記画像関連サイトが募集している画像の種類と上記投稿画像の内容を比較し、上記画像関連サイトと上記投稿画像との適切な組み合わせを選択するステップを有する。
【００１８】
第１３の発明に係わるプログラムは、ブログに添付される画像を選択するためにコンピュータを実行させるためのプログラムであって、上記ブログと当該添付する画像との組み合わせを選択する選択画面を表示するステップと、上記選択画面への指示を検出し、この検出された上記選択画面への指示に従い、上記ブログのテーマの種類と上記画像の被写体の種類を比較し、上記ブログに適した画像を選択するステップを有する。
【発明の効果】
【００１９】
第１発明によれば、撮影した画像をネットワークにアップロードする操作手順を簡単にできるようにした画像選択制御装置を提供することができる。例えば、サイトの種類が色々あり、あるいは画像が多数ある場合でも、的確な組み合わせを選択するので、快適な画像投稿の環境を実現することができる。
【００２０】
第２の発明によれば、多数の画像があっても、画像関連サイトに応じた画像を簡単に見つけることができる。
第３の発明によれば、操作者が選択した画像の中から画像関連サイトに応じた画像を簡単に見つけることができる。
第４の発明によれば、被写体を判断するので、特定ジャンルの被写体が像を募集する画像関連サイトに対しても相応しい画像を的確に選択することができる。
【００２１】
第５の発明によれば、先に画像を決めてから、対応する画像関連サイトを選択することが容易となる。
第６の発明によれば、被写体を判断するので、画像の内容に相応しい特定ジャンルの被写体画像を募集する画像関連サイトを的確に選択することができる。
【００２２】
第７の発明によれば、動画の場合には、動画に相応しい画像関連サイトを選択することから、動画の場合であっても画像関連サイトを的確に選択することができる。
第８の発明によれば、画像関連サイトの中で、適したサイトと不適なサイトを簡単に識別することができる。
【００２３】
第９の発明によれば、撮影した画像をネットワークにアップロードする操作手順を簡単にできるようにしたカメラを提供することができる。
第１０の発明によれば、カメラから画像関連サイトを選択し、通信制御部によって画像関連サイトに送信することができる。
【００２４】
第１１の発明によれば、ブログテーマに適した画像を選択することができるので、ブログ添付用の画像の検索を簡単に行うことができる。
第１２の発明によれば、ＰＣ等のコンピュータにおいて、撮影した画像をネットワークにアップロードする操作手順を簡単に行うことができる。
第１３の発明によれば、ＰＣ等のコンピュータにおいて、撮影した画像をネットワークを経由してブログサイトにアップロードする操作手順を簡単に行うことができる。
【図面の簡単な説明】
【００２５】
【図１】本発明の一実施形態に係わるカメラの構成を示すブロック図である。
【図２】本発明の一実施形態に係わるカメラと、ネットワークと、投稿サイトとブログのサーバの関係を示す図である。
【図３】本発明の一実施形態に係わるカメラにおいて、画像検索画面とその使用状態を示す図である。
【図４】本発明の一実施形態に係わるカメラにおいて、自動で画像を選択する場合の使用状態を示す図である。
【図５】本発明の一実施形態に係わるカメラにおいて、投稿サイトに相応しい画像を選択する場合の使用状態を示す図である。
【図６】本発明の一実施形態に係わるカメラにおいて、単独画像に相応しい投稿サイトを選択する場合の使用状態を示す図である。
【図７】本発明の一実施形態に係わるカメラにおいて、投稿サイトに相応しい画像を選択する場合の使用状態を示す図である。
【図８】本発明の一実施形態に係わるカメラの再生モードの動作を示すフローチャートである。
【図９】本発明の一実施形態に係わるカメラのウエブ選択画面Ａ表示の動作を示すフローチャートである。
【図１０】本発明の一実施形態に係わるカメラのウエブ選択画面Ａ表示の動作を示すフローチャートである。
【図１１】本発明の一実施形態に係わるカメラのウエブ選択画面Ｂ表示の動作を示すフローチャートである。
【発明を実施するための形態】
【００２６】
以下、図面に従って本発明を適用したカメラを用いて好ましい実施形態について説明する。本発明の好ましい実施形態に係わるカメラ１０は、デジタルカメラであり、撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。レリーズ操作時には、画像データを記録媒体に記録し、このとき併せて撮影日時、撮影モード等の情報を記録する。また、記録媒体に記録した撮影画像は、再生モードを選択すると、表示部に再生表示することができる。
【００２７】
図１は、本発明の一実施形態に係わるカメラ１０の構成を示すブロック図である。制御部（ＣＰU：Central
Processing Unit）１１は、プログラム／データ記憶部１２に記憶された制御プログラムに従って動作し、カメラ１０の全体制御を行う。制御部１１内には、通信制御部１１ａ、選択部１１ｂ、被写体判断部１１ｃ、画面表示制御部１１ｄ、入力検出部１１ｅが設けられている。制御部１１内の１１ａ〜１１ｅは、制御プログラムにより実行される処理の一部であるので、制御部１１に含まれる機能部として説明する。
【００２８】
通信制御部１１ａは、後述する通信部２３の制御を行い、選択部１１ｂによって選択された画像を、ＰＣや携帯電話等を介して投稿サイト等の関連画像サイトに送信する。なお、ブログに添付する画像の場合には、一旦ＰＣ等において文章を作成した後にブログサイトに送信する。
【００２９】
選択部１１ｂは、被写体判断部１１ｃを有する。この被写体判断部１１ｃは、画像のタグ（ヘッダ）に、記録されている撮影日時、撮影シーンの種類、撮影場所、人物の有無等の情報と、被写体自体の特徴に基づいて、被写体（画像）の種類を判定する。選択部１１ｂは、ユーザによって指定され、もしくは全指定とみなされた画像について、被写体判断部１１ｃによる判定結果と、後述するプログラム／データ記憶部１２に記憶されている投稿サイト等の画像関連サイトが要求する条件とを比較し、条件に当てはまる画像、もしくは画像関連サイトを選択する。つまり、選択部１１ｂは、被写体判断部１１ｃによる被写体の種類と画像関連サイトが募集している画像の種類を比較し、画像関連サイトに適切な画像を選択する。
【００３０】
画面表示制御部１１ｄは、投稿サイト等の画像関連サイトと、この画像関連サイトに投稿する投稿画像もしくはブログに添付する画像との組み合わせを選択するための選択画面を表示部１９に表示させるための制御を行う。選択画面については、図３〜図７を用いて後述する。入力検出部１１ｅは、操作部１３への指示を検出し、制御部１１はこの検出結果に応じて種々の制御を行う。また、操作部１３の１つであるタッチパネル上でのタッチ位置に応じて、選択画面への指示を検出する。
【００３１】
制御部１１には、プログラムおよびデータ記憶部１２、操作部１３、およびバス２５が接続されている。プログラムおよびデータ記憶部１２には前述したように制御部１１において実行するプログラムが記憶されており、また各種データも記憶されている。各種データとしては、投稿サイトやブログサイト等の画像関連サイトに関するサイト情報が記憶されている。この情報としては、例えば、画像関連サイトの名称、テーマ名、画像サイズや、ブログのテーマ画像が記憶され、また、画像関連サイトのログイン情報、ＵＲＬ情報または投稿フォーム等、接続するための情報も記憶されている。
【００３２】
操作部１３は、ユーザがカメラに指示を与えるための各種操作部材の操作状態を検出する。各種操作部材としては、電源釦、レリーズ釦、ズーミングのためのテレ／ワイド釦、上下左右キーを有する十字釦、ＯＫ釦、モード切換釦等を有する。また、後述する表示部１９の前面に、一体に構成されたタッチパネルを有し、このタッチパネルは、表示部１９の画面をユーザがタッチすると、そのタッチ位置を検出可能である。バス２５には、制御部１１の他に、撮像部１５、ＳＤＲＡＭ１６、画像処理部１７、表示処理部１８、圧縮伸張部２０、記録再生部２１、通信部２３が接続されている。
【００３３】
撮像部１５は、被写体像を結像させるための撮影レンズ、被写体像を画像データに変換するための撮像素子、およびこれらの処理回路、撮影レンズの光路中に介挿された絞りおよびシャッタ等を含む。撮像部１５によって生成された画像データはバス２５に出力される。
【００３４】
ＳＤＲＡＭ（Dynamic Random Access Memory）は電気的に書き換え可能な不揮発性の一時記憶メモリであり、撮像部１５から出力される画像データの一時記憶に用いられる。画像処理部１７は、デジタル画像データのデジタル的増幅（デジタルゲイン調整処理）、ホワイトバランス、色補正、ガンマ（γ）補正、コントラスト補正、ライブビュー表示用画像生成、動画画像生成等の各種の画像処理を行なう。また圧縮伸張部２０はＳＤＲＡＭ１６に一時記憶された静止画や動画の画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００３５】
表示処理部１８は、撮影時にはライブビュー表示、再生時には再生画像を、表示部１９に表示させる。また、投稿画像等の画像選択時には、表示処理部１８は画面表示制御部１１ｄによって生成される選択画面を表示部１９に表示させる。表示部１９は、表示処理部１８に接続されており、本体の背面等に配置された液晶モニタや有機ＥＬ等のディスプレイを有し、表示処理部１８による制御により画面に所定の画像が表示される。
【００３６】
記録再生部２１は、圧縮伸張部２０において圧縮された画像データを画像記憶部２２に記憶し、また、画像記憶部２２に記憶された撮影画像の画像データを読み出す。この読み出された画像データは、圧縮伸張部２０において伸張され、この伸張された画像データに基づいて、表示部１９に画像が再生表示される。
【００３７】
画像記憶部２２は、記録再生部２１に接続されており、デジタルカメラ本体に内蔵、または装填可能な画像データの記録媒体である。画像データのタグ（ヘッダ）には、撮影日時、撮影シーンの種類、撮影場所、人物の有無等が記録されている。なお、撮影日時は、図示しない時計部による日時情報に基づいて取得され、また、撮影場所は図示しないＧＰＳ等によって取得される。撮影シーンの種類は、撮影時に撮影者によって選択された撮影モードあるいはカメラで自動的に設定された撮影モードの種類である。また、人物の有無は図示しない顔検出部によって画像から顔の部分が存在するか否かによって判定し、記録される。
【００３８】
次に、図２を用いて、本実施形態におけるカメラ１０とネットワーク、および投稿サイトとブログのサーバの接続関係について説明する。カメラ１０は、ＰＣまたは携帯電話５０とＵＳＢ接続等により、接続可能である。また、ＰＣまたは携帯電話５０はネットワーク６０を介して、各画像関連サイトに対応するサーバＡ〜サーバＥにアクセス可能である。本実施形態における説明では、サーバＡ７０には、「猫」をテーマにした投稿サイトＡがあり、サーバＢ７１には、「花」をテーマにした投稿サイトＢがあり、サーバＣ７２には、動画の投稿サイトＣがあり、サーバＤ７３にはテーマを問わない画像全般の投稿サイトＤがあり、サーバＥ７４には、「山」をテーマとするブログＡと、「友達」をテーマとするブログＢがあると想定している。
【００３９】
次に、図３ないし図７を用いて、選択画面を用いて、投稿用の画像やブログ添付用の画像の選択や、また投稿サイト等の画像関連サイトに相応しい画像の選択のやり方について説明する。まず、図３を用いて、サムネイル表示の中から指定した１または複数の画像に相応しい投稿サイトやブログサイトの選択方法について説明する。
【００４０】
図３（ａ）は、表示部１９に表示された画像選択画面（ウエブ選択画面Ａと称す場合がある）を示し、この画像選択画面は、個々の撮影画像がサムネイル表示された画像領域１９ａと、メニュー領域１９ｂとから構成されている。図３（ａ）に示す例では、画像領域１９ａには、静止画（１、２、４、５、６、７、９、１０、１１、１２番目の画像）と動画（３、８番目の画像）が表示されている。
【００４１】
また、メニュー領域１９ｂには、カメラ１０の各種設定を行うための設定アイコンＭｉ１、ウエブモードに設定するためのウエブアイコンＭｉ２、撮影画像のプリントを行うためのプリントアイコンＭｉ３、ＰＣと通信するためのＰＣアイコンＭｉ４の４つのアイコンが表示されている。これらのアイコンは、タッチパネルをタッチすることにより、入力検出部１１ｅによって検出される。
【００４２】
図３（ａ）の表示状態において、サムネイル表示されている撮影画像の中から１つ指定し（図の例では、１番目の画像）、操作部１３の１つであるテレ／ワイド（Ｔ／Ｗ）釦を操作すると、図３（ｂ）に示すような単独画像画面（ウエブ選択画面Ｂと称す場合がある）に切り換わる。この表示状態において、再び、Ｔ／Ｗ釦を操作すると、図３（ａ）に示すサムネイル表示の選択画面に戻る。
【００４３】
図３（ａ）におけるウエブ選択画面Ａにおいて、ユーザが投稿サイトへの投稿候補、またはブログに投稿する際の添付候補の画像を、タッチにより選択し（図３（ａ）の例では、太枠で示す１、３、５番目の画像）、続いて、ウエブアイコンＭｉ２をユーザがタッチすると、図３（ｃ）に示すウエブ選択画面Ａ１に切り換わる。ウエブ選択画面Ａ１は、指定された候補画像の中から、投稿サイトやブログサイトに相応しい画像を決定するための選択画面である。
【００４４】
すなわち、ウエブ選択画面Ａ１には、予めプログラム／データ記憶部１２に記憶されている投稿サイトやブログサイト等の画像関連サイトがサイトアイコン３１として表示されている（図示の例では、ブログＡ、ブログＢ、投稿サイトＡ〜投稿サイトＤの６種類）。また、それぞれのサイトアイコン３１の左脇には、選択ボックス３３が表示されており、さらに、画面の下側には、ＯＫアイコン３５ａ、バックアイコン３５ｂ、オートアイコン３５ｃの３種類のアイコンが表示されている。ユーザが送信先の候補となる投稿サイトやブログサイト等のサイトアイコン３１をタッチすることにより選択され、その投稿サイト等の選択ボックス３３にはチェックが表示される。図示の例では、ブログサイトＢと投稿サイトＣが選択されている。
【００４５】
ユーザが送信先の投稿サイト等を選択し、次に、ＯＫアイコン３５ａをタッチすると、図３（ｄ）に示すようなウエブ選択画面Ａ２に切り換わる。この画面では、図３（ａ）において指定した候補画像（図示の例では、１、３、５番目の画像）の内で、図３（ｃ）において指定した候補となる投稿サイトやブログサイトの条件に当てはまる画像を表示する。図３（ｄ）に示す例では、ブログサイトＢについては１、３、５番目の画像が条件を満たし、投稿サイトＣについて３番の画像が条件を満たしていることを示している（投稿サイトＣは動画のみ受け付ける）。
【００４６】
図３（ｄ）に示されている画像について、送信することがＯＫの場合には（ただし、ブログＢの場合には、さらに文書作成が必要）、送信アイコン３５ａをタッチすると、３番目の画像が投稿サイトＣに送信すべくＰＣ等に送信され、また、１、３、５番目の画像がブログＢに投稿するにあたっての添付用の画像として選択されＰＣ等に送信される。送信の際には、選択された画像とともに選択された画像関連サイトに関するサイト情報がＰＣ等に送信される。
【００４７】
また、図３（ｄ）に示されているウエブ選択画面Ａ２の状態で、バックアイコン３５ｂをタッチすると、図３（ｃ）の表示状態に戻る。さらに、図３（ｄ）における送信先のブログサイトや投稿サイトの内、送信を希望しないサイトについては、選択ボックス３３をタッチすることにより、そのサイトを解除することができる。また、図３（ｄ）に示されている送信候補の画像についても、その画像をタッチすることにより、指定を解除することができる。図３（ｅ）は、５番目の画像をタッチすることにより、指定を解除した様子を示す。指定が解除された画像は輝度を低下させる等により区別して表示すると分かりやすい。
【００４８】
このようにウエブ選択画面Ａでは、予め指定された画像に対して、送信先の候補のサイトを選択すると、送信先のサイトの条件に適合する画像が図３（ｄ）に示すように表示される。このため、ユーザは、サイトの種類が色々あり、あるいは画像が多数ある場合でも、サイトの条件に適合する画像を簡単に確認することができる。
【００４９】
図３に示した選択画面では、送信先の候補となるサイトをユーザが指定したが、図４に示す選択画面では、画像を指定することにより、条件を満たすサイトが自動的に表示される。すなわち、図３（ｃ）に示す選択画面Ａ１において、ＯＫアイコン３３ａをタッチする代わりに、オートアイコン３３ｃをタッチすると、図４（ａ）に示す選択画面に切り換わる。
【００５０】
図４（ａ）に示す選択画面には、図３（ｃ）と同様に投稿サイトやブログサイトの全てのサイトアイコン３１および選択ボックス３３が表示される。ここで、図３（ａ）において、１、３、５番目の画像の他に、１５、１６、１７、２１番目の画像も指定されているとする。この状態で、さらにオートアイコン３５ｃをタッチすると、図４（ｂ）に示す選択画面に切り換わる。
【００５１】
図４（ｂ）に示す選択画面では、それぞれのサイトごとに、サイトの条件を満たす画像が表示される。例えば、図示の例では、ブログサイトＢについては、１、３、５番目の画像が条件を満たし、投稿サイトＡについては、１５、１６、１７番目の画像が条件を満たしている。
【００５２】
ユーザは、図４（ｂ）の選択画面が表示された状態で、送信を希望するサイトをタッチすることにより、サイトの選択を行うことができ、また選択ボックス３３にチェックが入ることから選択を確認することができる。また、サイトの選択後、再度、サイトアイコン３１をタッチすることにより、サイトの選択を解除することができる。図４（ｂ）に示す例では、投稿サイトＡと投稿サイトＣが選択されている。この状態で、送信アイコン３５ｄをタッチすると、選択されているサイト、図示の例では投稿サイトＡと投稿サイトＣに画像を送信すべく、ＰＣ等に画像データと共にサイト情報が送信される。なお、選択されたサイトがブログサイトの場合には、ＰＣ等で一旦文章が作成されてから、ブログサイトに送信される。
【００５３】
このように図４に示すウエブ選択画面では、予め指定された画像に対して、条件を満たすサイトが図４（ａ）に示すように表示され、さらに、条件を満たす画像も図４（ｂ）に示すように表示される。このため、ユーザは、サイトの種類が色々あり、あるいは画像が多数ある場合でも、サイトの条件に適合する画像を簡単に確認することができる。特に、図４に示すウエブ選択画面では、まず、条件に適合するサイトが表示されるので、その中からユーザがサイトを選択することが可能となる。
【００５４】
図３および図４に示した選択画面では、先に候補となる画像を指定してから、送信先のサイトを探したが、図５に示す選択画面では、画像を先に指定することなく、サイトを指定することにより、サイトに適合する画像を検索する。すなわち、図５（ａ）に示すように、画像領域１９ａに表示されている個々のサムネイル画像について選択されない状態でウエブアイコンＭｉ２がタッチされると、図５（ｂ）に示す選択画面に切り換わる。
【００５５】
この図５（ｂ）に示す状態で、ユーザが送信先の候補となるサイトをタッチすると、選択ボックス３３にチェックが入り、選択される。送信先の候補の選択が終わり、オートアイコン３５ｃをタッチすると、図５（ｃ）に示されるように、選択されたサイトの条件を満たす画像が表示される。図５（ｃ）に示す例では、「猫」をテーマとする投稿サイトＡの条件を満たす撮影画像（１５、１６、１７番目の画像）が表示される。再度、選択をやり直したい場合には、バックアイコン３５ｂをタッチする。また、選択された撮影画像で十分であれば、次に、送信アイコン３５ｄをタッチすることにより、これらの画像やサイト情報を投稿サイトに送信すべく、ＰＣ等に送信される。なお、ブログの場合には、画像がＰＣに送信され、ブログ掲載用の文章の作成を行うことができる。
【００５６】
このように図５に示すウエブ選択画面では、予め画像を指定することなく、サイトの条件を満たす画像を自動的に検索し、図５（ｃ）に示すように表示を行う。このため、ユーザは、サイトの種類が色々あり、あるいは画像が多数ある場合でも、サイトの条件に適合する画像を簡単に確認することができる。特に、図５に示すウエブ選択画面では、サイトを選択すると、条件に適合する画像が表示されるので、送信先のサイトが決まっている場合には大変便利である。
【００５７】
次に、ウエブ選択画面Ｂを用いての選択について、図６を用いて説明する。上述したウエブ選択画面Ａを用いての選択は、基本的にはサムネイル表示された複数の画像に適している。一方、ウエブ選択画面Ｂを用いての選択は、図３（ｂ）に示すような単独画像に適している。
【００５８】
図６（ａ）に示す１番目の画像の単独画像において、ウエブアイコンＭｉ２をタッチすると、図６（ｂ）に示すように、プログラム／データ記憶部１２に記憶されている投稿サイトおよびブログサイトが、単独画像に重畳して表示される。図６（ｂ）に示す例では、１番目の画像の周囲に、ブログサイトＡ、ブログサイトＢ、投稿サイトＡ〜投稿サイトＤのサイトアイコン３１が表示されている。
【００５９】
図６（ｂ）に示した状態で、サイト選択アイコン３５ｅがタッチされると、現在の画像に対するサイトの適否が表示される。ここでは、現在の画像に対して不適合のサイトが破線で示される。図６（ｃ）に示す例では、投稿サイトＡ〜投稿サイトＣの３つのサイトが、条件を満たさないために、破線で示されている。なお、不適合なサイトを表示するにあたって、本実施形態においては、破線で示しているが、これに限らず、例えば、表示色を変えたり、またアイコンの形状を変える等、ユーザが識別可能な方法でれば、破線に限られない。
【００６０】
図６（ｃ）に示す状態で、ユーザが送信先を選択するには、希望するサイトアイコン３１をタッチすれば良い。図６（ｄ）は、ブログサイトＢを送信先としてタッチし、選択した状態を示す。この状態で、送信アイコン３５ｄをタッチすれば、１番目（現在）の画像がブログサイトＢに投稿するために、サイト情報と共にＰＣ等に送信される。ＰＣ等において、ブログ用の文書を作成し、これに画像を添付してブログサイトに送信される。
【００６１】
図６（ｄ）では、１番目の画像をブログサイトＢに関連して送信したが、ブログサイトＢにアップロードするにあたって、１番目の画像以外にも追加して画像を送信したい場合がある。そこで、さらに画像を追加する場合について、図７を用いて説明する。
【００６２】
図６（ｄ）に示す状態において、送信アイコン３５ｄをタッチする代わりに、画像選択アイコン３５ｆをタッチすると（図７（ａ）参照）、画像記憶部２２に記憶されている撮影画像の中から、ブログサイトＢに送信するにあたって条件を満たす画像を検索し、この検索された画像が表示部１９に表示される。図７（ｂ）に示す例では、１、４、７、９、２０番目の画像がブログサイトＢに適合する撮影画像として検索され、表示される。
【００６３】
ただし、ユーザとしては、検索された画像の全てをブログサイトＢに送信することを望まない場合も多いことから、検索された撮影画像の中で、送信を望む撮影画像についてタッチすることにより選択することができる。図７（ｃ）に示した例では、選択された撮影画像（１番目と７番目の画像）を、太枠で表示している。選択が終わると、送信アイコン３５ｄをタッチすることにより、ブログサイトＢに関連して画像を送信することができる。
【００６４】
このように図６および図７に示すウエブ選択画面Ｂでは、単独画像を選択すると、この画像に適合するサイトを自動的に検索し、図６（ｃ）に示すように表示を行う。また、サイトを選択した際に、この選択されたサイトに適合する画像を検索することができる。このため、ユーザは、サイトの種類が色々あり、あるいは画像が多数ある場合でも、サイトの条件に適合する画像を簡単に確認することができる。特に、図６に示すウエブ選択画面では、単独画像を決めると、この画像に適合するサイトが表示されるので、画像が決まっている場合に送信先を探す場合には大変便利である。また、図７に示すウエブ選択画面では、サイトに適合した画像を検索することができるので、さらに画像を追加したい場合には大変便利である。
【００６５】
次に、図３ないし図７を用いて説明した本実施形態におけるウエブ選択画面での画像選択やサイト選択を実行するための動作を、図８ないし図１１に示すフローチャートを用いて説明する。このフローは主に制御部１１によって実行される。具体的には、通信制御部１１ａ、選択部１１ｂ、被写体判断部１１ｃ、画面表示制御部１１ｄ、入力検出部１１ｅ等によって実行される。
【００６６】
再生モードに入ると、まず、サムネイル画像の表示を行う（Ｓ１１）。本実施形態においては、再生モードに入った際には、サムネイル表示がデフォルト画面として設定されている。このサムネイル表示は、前述した図３（ａ）に示したように、画像記憶部２２から読み出した撮影画像を縮小サイズで一覧表示する。
【００６７】
サムネイル画像表示を行うと、次に、単独画像とサムネイル画像の切り換え指示があったか否かの判定を行う（Ｓ１２）。ここでは、操作部１３の１つであるＴ／Ｗ釦が操作されたか否かを判定する。この判定の結果、画像切換の指示があった場合には、単独画像表示を行う（Ｓ１３）。ここでは、図３（ｂ）に示すように、サムネイル画像の中から１枚の画像のみを単独で表示する。
【００６８】
単独画像の表示を行うと、またはステップＳ１２における判定の結果、画像切換指示がなかった場合には、次に、画像送り指示があるか否かの判定を行う（Ｓ１４）。画像送り指示は、十字釦の左右キーに行うことから、このステップでは、左右キーの操作状態に基づいて判定する。この判定の結果、画像送り指示がなされていた場合には、画像切換を行う（Ｓ１５）。ここでは、単独画像表示がなされていた場合には次の単独画像を読出し表示する。また、サムネイル画像の表示がなされていた場合には、次の一群のサムネイル画像を読出し表示する。
【００６９】
画像切換を行うと、またはステップＳ１４における判定の結果、画像送り指示がなかった場合には、次に、メニューアイコンが押下げ（タッチ）されたか否かの判定を行う（Ｓ１６）。ここで、メニューアイコンは、設定アイコンＭｉ１、ウエブアイコンＭｉ２、プリントアイコンＭｉ３、ＰＣアイコンＭｉ４を指し、これらのアイコンのいずれかがタッチされたか否かの判定を行う（Ｓ１６）。
【００７０】
ステップＳ１６における判定の結果、メニューアイコンのいずれかがタッチされた場合には、次に、ウエブ用アイコンが押下げ（タッチ）されたか否かの判定を行う（Ｓ１７）。ここでは、ウエブアイコンＭｉ２がタッチされたかを入力検出部１１ｅが判定する。この判定の結果、ウエブ用アイコンではなかった場合には、プリント等の処理を行う（Ｓ１８）。ここでは、設定アイコンＭｉ１、プリントアイコンＭｉ３、ＰＣアイコンＭｉ４のいずれがタッチされたかを判定し、タッチされたアイコンに応じた処理を行う。
【００７１】
ステップＳ１７における判定の結果、ウエブ用アイコンがタッチされた場合には、次に、サムネイル画像表示か否かを判定する（Ｓ１９）。ここでは、表示部１９における表示が、図３（ａ）に示すようなサムネイル画像表示であるか、図３（ｂ）に示すような単独画像表示であるかを判定する。
【００７２】
ステップＳ１９における判定の結果、サムネイル画像表示であった場合には、ウエブ選択画面Ａの表示を行い、この選択画面での入力に応じた処理を行う（Ｓ２０）。ここでは、図３（ｃ）に示すウエブ選択画面Ａを表示し、この画面での入力に応じた処理を行う。このウエブ選択画面Ａ表示の詳しいフローは、図９および図１０を用いて後述する。
【００７３】
ステップＳ１９における判定の結果、サムネイル画像表示でなかった場合には、ウエブ選択画面Ｂの表示を行い、この選択画面での入力に応じた処理を行う（Ｓ２１）。ここでは、図６（ｂ）に示すウエブ選択画面Ｂを表示し、この画面での入力に応じた処理を行う。このウエブ選択画面Ａ表示の詳しいフローは、図１１を用いて後述する。
【００７４】
ステップＳ１８、Ｓ２０、またはＳ２１における処理を行うと、またはステップＳ１６における判定の結果、メニューアイコンの押下げがなかった場合には、次に、電源オフ操作がなされたか否かの判定を行う（Ｓ２２）。ここでは、操作部１３の１つである電源釦によってオフ操作がなされたか否かの判定を行う。この判定の結果、電源オフ操作がなされていなかった場合には、ステップＳ１２に戻る。一方、電源オフ操作がなされていた場合には、再生モードを終了する。
【００７５】
次に、ステップＳ２０のウエブ選択画面表示Ａのサブルーチンの詳しい動作について、図９及び図１０を用いて説明する。ウエブ選択画面Ａ表示のサブルーチンに入ると、まず、ウエブ画面Ａ１表示を行う（Ｓ３１）。ここでは、図３（ｃ）に示したウエブ選択画面Ａ１を表示部１９に表示する。
【００７６】
続いて、サムネイル画像の画面で画像選択済みか否かの判定を行う（Ｓ３２）。ここでは、サムネイル画像が表示されていた際に、図３（ａ）に示すように、タッチによって、少なくとも１つの撮影画像が選択されていたか否かを判定する。この判定の結果、画像が選択済みであった場合には、次に、自動選択指示がなされているか否かの判定を行う（Ｓ３３）。ここでは、オートアイコン３５ｃがタッチされ、自動選択の指示がなされたか否かの判定を行う。
【００７７】
ステップＳ３３における判定の結果、自動選択の指示がなされていた場合には、次に、希望サイトをマニュアルで選択する（Ｓ３４）。ユーザが送信を希望する投稿サイトやブログサイトがあれば、タッチするので、ここでは入力検出部１１ｅによって表示部１９の画面がタッチされたかを判定し、判定の結果タッチされていた場合には、いずれのアイコンがタッチされたかを判定する。タッチされた場合には、対応する選択ボックス３３にチェックを入れる。
【００７８】
続いて、バック押下げ（タッチ）がなされたか否かの判定を行う（Ｓ３５）。ここでは、バックアイコン３５ｂがタッチされたか否かを判定する。この判定の結果、バック押下げがあった場合には、元のフローに戻る。一方、バック押下げがなかった場合には、次に、ＯＫ押下げ（タッチ）がなされたか否かの判定を行う（Ｓ３６）。ここでは、ＯＫアイコン３５ａがタッチされたか否かの判定を行う。この判定の結果、ＯＫ押下げがなかった場合には、ステップＳ３３に戻る。
【００７９】
ステップＳ３６における判定の結果、ＯＫ押下げがあった場合には、次に、ウエブ画面Ａ２に選択されたサイトと画像の組合せを表示する（Ｓ３７）。ここでは、ステップＳ３４において選択されているサイトについて、図３（ｄ）に示したウエブ選択画面Ａ２において、選択されているサイトの条件を満たす撮影画像の組合せを表示する。
【００８０】
ステップＳ３７におけるウエブ画面Ａ２の表示を行うと、次に、修正指示がなされたか否かの判定を行う（Ｓ４１）。ウエブ画面Ａ２での修正指示は、図３（ｅ）において説明したように、チェックを外したいサイトまたは画像をタッチすることにより行うので、ここでは、このようなタッチがなされたか否かの判定を行う。この判定の結果、修正指示がなされた場合には、指示に従って修正を行う（Ｓ４２）。
【００８１】
修正を行うと、またはステップＳ４１における判定の結果、修正指示がなかった場合には、次に、送信押下げ（タッチ）がなされたか否かの判定を行う（Ｓ４３）。送信は送信アイコン３５ｄをタッチすることにより行うので、このステップではこのアイコンがタッチされたか否かを判定する。
【００８２】
ステップＳ４３における判定の結果、送信押下げがなされた場合には、次に、送信を行う（Ｓ４４）。ここでは、通信制御部１１ａによって通信部２３を制御し、指定された投稿サイトやブログサイトに送信するにあたって事前にＰＣ等に画像データとサイト情報を送信する。ＰＣ等は、画像データとサイト情報に従って、投稿サイトやブログサイトに送信を行う。ステップＳ４４における送信を行うと、元のフローに戻る。
【００８３】
ステップＳ４３における判定の結果、送信押下げがなかった場合には、次に、ステップＳ３５と同様に、バック押下げがなされたか否かの判定を行う（Ｓ４５）。この判定の結果、バック押下げがなかった場合には、ステップＳ４１に戻る。一方、バック押下げがあった場合には、ステップＳ３１に戻る。
【００８４】
ステップＳ３３における判定の結果、自動選択指示がなされていた場合には、次に、選択された画像の被写体判断を行う（Ｓ５１）。ここでは、ステップＳ３２において選択済みと判定された撮影画像について、画像データのタグ部分に記録されているデータに基づいて判定する。続いて、選択された像に適したウエブ先を選択する（Ｓ５２）。ここでは、プログラム／データ記憶部１２に記憶されている各サイトの情報と、ステップＳ５１で行った被写体判断の結果に基づいて、選択された画像に適したウエブ先を選択する。
【００８５】
次に、ウエブ画面Ａ２に、選択画像に適したサイトを表示する（Ｓ５３）。ここでは、ステップＳ５２において選択されているサイトについて、図４（ｂ）に示したウエブ選択画面において、選択した画像に適したサイトを表示する。サイトの表示を行うと、前述のステップＳ４１に進む。
【００８６】
ステップＳ３２における判定の結果、サムネイル画像の画面で画像が選択されていなかった場合には、全画像が選択されたものとみなす（Ｓ６１、図１０参照）。特定の画像が選択されていないことから、ここでは、全画像が選択されたものとみなしている。次に、サイトをマニュアルで選択済みか否かの判定を行う（Ｓ６２）。前述した図５（ｂ）において、ユーザは投稿サイトやブログサイトをタッチによって選択できるが、このステップにおいては、この選択を行ったか否かの判定を行う。
【００８７】
ステップＳ６２における判定の結果、サイトをマニュアルで選択していなかった場合には全サイト選択されたとみなす（Ｓ６３）。サイトが選択されていないことから、ここでは、全サイトが選択されたものとみなしている。全サイトを選択したものとみなすと、またはステップＳ６２における判定の結果、サイトがマニュアルで選択されていなかった場合には、次に、自動選択指示がなされたか否かの判定を行う（Ｓ６４）。ここでは、オートアイコン３５ｃがタッチされたか否かの判定を行う。
【００８８】
ステップＳ６４における判定の結果、自動選択がなされていた場合には、次に、全画像の被写体判断を行う（Ｓ６６）。ここでは、画像記憶部２２に記憶されている全画像について、ヘッダに記憶されている情報に基づいて被写体判断を行う。続いて、利用可能なウエブサイトに適した画像を選択する（Ｓ６７）。ここでは、プログラム／データ記憶部１２に記憶されている利用可能なウエブサイトごとに、条件が適合する画像の選択を行う。
【００８９】
次に、ウエブ画面Ａ２において、選択画像に適したサイトを表示する（Ｓ６８）。ここでは、図４（ｂ）に示すようなウエブ選択画面において、利用可能なサイトごとに、ステップＳ６７において選択された画像を表示する。サイトの表示を行うと、前述のステップＳ４１に進む。
【００９０】
ステップＳ６４における判定の結果、自動選択指示がなされていなかった場合には、次にバック押下げ（タッチ）がなされたか否かの判定を行う（Ｓ６５）。この判定の結果、バック押下げがなされていなかった場合には、ステップＳ６２に戻る。一方、バック押下げがなされた場合には、元のフローに戻る。
【００９１】
このように、ウエブ選択画面Ａ表示のサブルーチンにおいては、サムネイル画像の画面から投稿サイトやブログサイトに適した画像を検索し、また選択（もしくは全選択）された画像に適した投稿サイトやブログサイトを検索し、これらを表示することができる。
【００９２】
次に、ステップＳ２１のウエブ選択画面表示Ｂのサブルーチンの詳しい動作について、図１１を用いて説明する。ウエブ選択画面Ｂ表示のサブルーチンに入ると、まず、画像の周りにサイトアイコンを表示する（Ｓ７１）。ここでは、図６（ｂ）に示すように、単独画像の周囲にサイトアイコン３１を重畳表示する。
【００９３】
続いて、サイト選択押下げ（タッチ）がなされたか否かの判定を行う（Ｓ７２）。ここでは、サイト選択アイコン３５ｅがタッチされたか否かの判定を行う。この判定の結果、サイト選択押下げがなされていなかった場合には、次に、バック押下げ（タッチ）がなされたか否かの判定を行う（Ｓ７３）。ここではバックアイコン３５ｂがタッチされたか否かの判定を行う。この判定の結果、バック押下げがなされていなかった場合には、ステップＳ７１に戻る。一方、バック押下げがなされていた場合には、元のフローに戻る。
【００９４】
ステップＳ７２における判定の結果、サイト選択押下げがなされていた場合には、次に、画像に適したサイトを選択する（Ｓ８１）。図６（ｂ）に示した選択画面において、サイト選択アイコン３５ｅをタッチすると、選択部１１ｂは、単独画像のタグに記憶された情報と、利用可能なサイトの条件とを比較し、単独画像に適したサイトを選択する。
【００９５】
続いて、ステップＳ８１における選択結果に基づいて、適否サイトを識別可能に表示する（Ｓ８２）。ここでは、図６（ｃ）に示したように、不適なサイトを破線で表示する等、識別できるような表示を行う。次に、サイト選択がなされたか否かの判定を行う（Ｓ８３）。ユーザは、送信を希望するサイトがあればタッチするので、ここではタッチされたサイトがあるか否かの判定を行う。
【００９６】
ステップＳ８３における判定の結果、サイト選択があると、次に、追加画像選択押下げがなされたか否かの判定を行う（Ｓ８４）。ユーザは単独画像に加えて、画像を追加したい場合には、画像選択アイコン３５ｆをタッチするので、ここでは、このアイコンがタッチされたか否の判定を行う。
【００９７】
ステップＳ８４における判定の結果、追加画像選択押下げがなかった場合には、次に、送信押下げがなされたか否かの判定を行う（Ｓ８５）。ユーザは、図６（ｄ）に示す選択画面において、選択したサイトに単独画像を送信する場合には、送信アイコン３５ｄをタッチするので、ここでは、この送信アイコン３５ｄがタッチされたか否かの判定を行う。
【００９８】
ステップＳ８５における判定の結果、送信押下げが有った場合には、送信を行うＳ（８６）。ここでは、通信制御部１１ａによって通信部２３を制御し、単独画像を指定された投稿サイト、またはブログサイトに送信するために、ＰＣ等に画像データとサイト情報を送信する。送信を行うと元のフローに戻る。
【００９９】
ステップＳ８５における判定の結果、送信押下げがなかった場合には、次に、バック押下げがなされたか否かの判定を行う（Ｓ８７）。ここでは、バックアイコン３５ｄがタッチされたか否かの判定を行う。この判定の結果、バック押下げがあった場合には、元のフローに戻る。一方、バック押下げがなかった場合には、ステップＳ７２に戻る。
【０１００】
ステップＳ８４における判定の結果、追加画像選択押下げがなされた場合には、次に、被写体画像判断を行う（Ｓ９１）。ここでは、ステップＳ８３において選択された投稿サイトやブログサイトに適合する画像を、画像記憶部２２に記憶されている撮影画像の中から被写体判断を行って選択する。
【０１０１】
続いて、追加選択画像に表示を行う（Ｓ９２）。ここでは、ステップＳ９１において選択された追加画像を、図７（ｂ）に示す画面で表示する。次に、追加画像の選択を行う（Ｓ９３）。ユーザは図７（ｃ）に示したように、投稿サイトやブログサイトに送信する画像を選択するので、ここではタッチされた画像を追加画像として選択する。
【０１０２】
追加画像の選択を行うと、次に、送信押下げがなされたか否かの判定を行う（Ｓ９４）。ここでは、送信アイコン３５ｄがタッチされたか否かの判定を行う。ステップＳ９４の判定の結果、送信押下げがなされた場合には、次に、送信を行う（Ｓ９５）。ここでは、通信制御部１１ａによって通信部２３を制御し、単独画像および追加画像を指定された投稿サイト、またはブログサイトに送信するために、画像データやサイト情報をＰＣ等に送信する。送信を行うと元のフローに戻る。
【０１０３】
ステップＳ９４における判定の結果、送信押下げがなかった場合には、次に、バック押下げがなされたか否かの判定を行う（Ｓ９６）。ここでは、バックアイコン３５ｂがタッチされたか否かを判定する。この判定の結果、バック押下げがあった場合には、元のフローに戻る。一方、バック押下げがなかった場合には、ステップＳ７２に戻る。
【０１０４】
このように、ウエブ選択画面Ｂ表示のサブルーチンにおいては、単独画像の画面から投稿サイトやブログサイトを検索し、また検索されたサイトに基づいてこのサイトに適合する追加画像を検索し、これらを表示することができる。
【０１０５】
以上説明したように、本発明の一実施形態においては、ウエブ選択画面上でユーザによってなされた指示に従って、投稿サイトやブログサイト等の画像関連サイトが募集している画像の種類と撮影画像の内容を比較し、画像関連サイトと撮影画像との適切な組み合わせを選択するようにしている。このため、撮影した画像をネットワークにアップロードする操作手順を簡単に行うことができる。
【０１０６】
なお、本発明の一実施形態においては、カメラ１０から投稿サイトやブログサイト等の画像関連サイトに送信するにあたって、ＰＣや携帯電話等の機器を介して行うようにしていた。しかし、カメラ１０から直接、投稿サイト等にアクセスできる場合には、ＰＣ等を介する必要はない。
【０１０７】
また、本発明の一実施形態においては、選択画面において、タッチパネルでユーザの指示を入力していた。しかし、これに限らず、十字釦等の操作部材によってユーザの指示を入力するようにしても勿論かまわない。また、ソフトウエア処理で説明した部分の一部又は全てをハードウエア処理に置き換えても良い。
【０１０８】
さらに、本発明の一実施形態においては、画像選択制御装置として、カメラに適用した例について説明したが、撮影機能を備えている必要性はなく、記憶部に画像データをインストールしたＰＣ等の機器であっても良い。ＰＣ等の機器の場合には、投稿サイトやブログサイトに直接アクセスするようにすれば良い。
【０１０９】
さらに、本発明の一実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。いずれにしても、撮影画像を記憶する記憶部を有していれば良い。
【０１１０】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１１１】
１０・・・カメラ、１１・・・制御部（ＣＰＵ）、１１ａ・・・通信制御部、１１ｂ・・・選択部、１１ｃ・・・被写体判断部、１１ｄ・・・画面表示制御部、１１ｅ・・・入力検出部、１２・・・プログラム／データ記憶部、１３・・・操作部、１５・・・撮像部、１６・・・ＳＤＲＡＭ、１７・・・画像処理部、１８・・・表示処理部、１９・・・表示部、１９ａ・・・画像領域、１９ｂ・・・メニュー領域、２０・・・圧縮伸張部、２１・・・記録再生部、２２・・・画像記憶部、２３・・・通信部、２５・・・バス、３１・・・サイトアイコン、３３・・・選択ボックス、３５ａ・・・ＯＫアイコン、３５ｂ・・・バックアイコン、３５ｃ・・・オートアイコン、３５ｄ・・・送信アイコン、３５ｅ・・・サイト選択アイコン、３５ｆ・・・画像選択アイコン、５０・・・ＰＣ／携帯電話、７０・・・サーバＡ、７１・・・サーバＢ、７２・・・サーバＣ、７３・・・サーバＤ、７４・・・サーバＥ、Ｍｉ１・・・設定アイコン、Ｍｉ２・・・ウエブアイコン、Ｍｉ３・・・プリントアイコン、Ｍｉ４・・・ＰＣアイコン
【図１】
2011070466.tif 000003
【図２】
2011070466.tif 000004
【図３】
2011070466.tif 000005
【図４】
2011070466.tif 000006
【図５】
2011070466.tif 000007
【図６】
2011070466.tif 000008
【図７】
2011070466.tif 000009
【図８】
2011070466.tif 000010
【図９】
2011070466.tif 000011
【図１０】
2011070466.tif 000012
【図１１】
2011070466.tif 000013